(57)【要約】【課題】筐体内の光源を効率良く冷却流体を用いて冷却できる構成を有することにより、コスト上昇を抑制でき、さらには静音性の高い光源装置を提供する。【解決手段】筐体１と、光源６と、一対のヒートシンク４、５と、ヒートシンクに対向して位置する、前記筐体内に設けられた冷却ファン８と、筐体１を構成する壁部において、ヒートシンク４よりも前方位置であって、右壁１ｒに形成された流入口１２と、筐体１を構成する壁部において、冷却ファン８に対向する位置に形成された冷却流体排出口１０と、を具備し、ヒートシンク４を構成する複数のフィン４ａｆ、４ｂｆにおいて、前方端面は、幅方向Ｋ２において、流入口１２に近接する側の端部から、流路４ａｒ、４ｂｒ内に位置する流入口１２から遠ざかる側の端部に向かって、Ｒ形状を有して傾斜する形状に形成されていることを特徴とする。【選択図】図２
2012014992.tif 000002
【特許請求の範囲】
【請求項１】
筐体と、
前記筐体内に設けられた光源と、
前記光源を該光源の出射方向において前後に挟持する、前記出射方向に直交する前記筐体の第１の方向に沿って設定長さを有する複数のフィンが、前記第１の方向とは異なる前記出射方向に直交する前記筐体の第２の方向に設定間隔を有して設けられていることにより、前記フィン間に前記出射方向に沿って前記光源に冷却流体を供給する流路が形成された一対のヒートシンクと、
前記一対のヒートシンクの内、前記出射方向後方に位置する前記ヒートシンクに対向して位置する、前記筐体内に設けられた冷却ファンと、
前記筐体を構成する壁部において、前記一対のヒートシンクの内、前記出射方向前方に位置する前記ヒートシンクよりも前記出射方向前方位置であって、前記出射方向及び前記第１の方向に平行な壁部に形成された、前記冷却ファンの駆動に伴い前記筐体外の前記冷却流体を、前記筐体内に流入させる冷却流体流入口と、
前記筐体を構成する壁部において、前記冷却ファンに対向する位置に形成された、前記冷却ファンの駆動に伴い前記筐体内の前記流路を流れた前記冷却流体を、前記筐体内に排出させる冷却流体排出口と、
を具備し、
前記出射方向前方に位置する前記ヒートシンクを構成する複数のフィンにおいて、前記出射方向前方の各端面は、前記第２の方向において、前記冷却流体流入口に近接する側の端部から、前記流路内に位置する前記冷却流体流入口から遠ざかる側の端部に向かって、Ｒ形状を有して傾斜する形状に形成されていることを特徴とする光源装置。
【請求項２】
前記フィンの前記端面は、前記第２の方向において、前記冷却流体流入口に近接する側の端部から、前記流路内に位置する前記冷却流体流入口から遠ざかる側の端部に向かう程、Ｒが大きくなる形状に形成されていることを特徴とする請求項１に記載の光源装置。
【請求項３】
前記一対のヒートシンクと前記光源と前記冷却ファンとは、前記筐体内に設けられた、前記出射方向前方と前記出射方向後方に前記流路の開口がそれぞれ設けられたケース部材内に設けられており、
前記光源を挟持する前記一対のヒートシンクは、前記ケース部材内において、ベース部材上の固定面に固定自在となっていることを特徴とする請求項１または２に記載の光源装置。
【請求項４】
前記筐体を構成する壁部において、前記出射方向及び前記第１の方向に平行な壁部に、前記光源を挟持する前記一対のヒートシンクを交換する用の交換扉が設けられているとともに、前記ケース部材を構成する壁部において、前記交換扉に対向する位置に前記光源を挟持する前記一対のヒートシンク交換用の開口が形成されており、
前記ケース部材の前記開口と前記交換扉との間に、前記ケース部材の前記開口を塞ぐ第１の閉塞部材が、前記交換扉を介して着脱自在となっていることを特徴とする請求項３に記載の光源装置。
【請求項５】
前記ケース部材の前記出射方向前方の前記開口に臨む前記ベース部材の前記出射方向前方の端面における前記第１の方向における前記ヒートシンク側の角部は、Ｒ形状に形成されていることを特徴とする請求項３または４に記載の光源装置。
【請求項６】
前記一対のヒートシンクの前記ベース部材とは反対側の面と、該面に対向する前記ケース部材の壁部との間に、ガイド部材が、該ガイド部材と前記一対のヒートシンクの前記反対側の面との間に流路を有するよう設けられており、
前記ガイド部材の前記一対のヒートシンクに対向する面は、平坦面に形成されているとともに、前記ケース部材の前記出射方向前方の前記開口に臨む前記ガイド部材の前記出射方向前方の端面は、前記第１の方向において、前記ヒートシンクから遠ざかる側の端部から、前記ヒートシンクに近接する側の端部に向かって、Ｒ形状を有して傾斜する形状に形成されていることを特徴とする請求項３〜５のいずれか１項に記載の光源装置。
【請求項７】
前記ベース部材の前記固定面に、前記一対のヒートシンク内、前記出射方向後方に位置するヒートシンクが嵌入されることにより、該一対のヒートシンクの前記出射方向の位置を固定する溝が形成されており、
前記溝は、該溝に嵌入される前記ヒートシンクの部位の肉厚と同一となる深さに設定されていることを特徴とする請求項３〜６のいずれか１項に記載の光源装置。
【請求項８】
前記ケース部材内に、前記冷却流体流入口と、前記ケース部材の前記出射方向前方の前記開口とを介して導入された前記冷却流体を、前記一対のヒートシンクの前記流路にガイドする第２の閉塞部材が設けられていることを特徴とする請求項３〜７のいずれか１項に記載の光源装置。
【発明の詳細な説明】
【技術分野】
【０００１】
本発明は、筐体内に、光源が一対のヒートシンクによって挟持された光源装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
また、内視鏡内に設けられたライトガイドを用いて光源装置から供給された光を体腔内に照射する構成を有する医療用の内視鏡は、通常、ユニバーサルコードの延出端に設けられた内視鏡コネクタが、光源装置に設けられたコネクタ受けに接続されることにより、光源装置内の光源から照射された光が、内視鏡コネクタに位置するライトガイドの基端に入光され、該入光された光が内視鏡の挿入部の先端に位置するライトガイドの先端までライドガイド内を導光されることにより、ライトガイドの先端から照明用レンズ等を介して体腔内に拡開照射される構成を有している。
【０００４】
ここで、内視鏡に照明光を供給する光源装置においては、一般に、光源には、キセノンランプ等の高輝度のランプが用いられる。しかしながら、高輝度のランプは点灯の際、高温となることから、ランプの点灯に伴い光源装置を構成する筐体内の雰囲気を熱してしまう。このため、ランプの熱を筐体外に適切に放熱しなければ、熱害によりランプが故障してしまう他、筐体内に設けられた他の電気部品が故障してしまう等の問題が発生する。
【０００５】
そこで、特許文献１には、光源装置を構成する筐体内において、ランプを保持するとともに該ランプの熱を放熱させる複数のフィンを有するヒートシンクと、冷却ファンとが設けられ、さらに、筐体の底面に流体の流入口が形成されているとともに、冷却ファンに対向する筐体の側面に流体の排出口が形成された光源装置の構成が開示されている。尚、ランプを保持するヒートシンクと冷却ファンとは、筐体内の底面に固定された、それぞれランプの出射方向前方と後方に開口を有するケース内に設けられている。
【０００６】
このような構成によれば、冷却ファンが駆動されると、筐体底面の流入口を介して筐体内に冷却流体が流入され、該冷却流体が、ケースの前方開口を介してヒートシンクの複数のフィン間に形成された流路を通過する結果、ランプの熱は、ケースの後方開口を介して排出口から筐体外に放熱されるため、冷却流体を用いて効率良くランプの熱を筐体外に放熱することができる。
【０００７】
また、特許文献２には、光源装置を構成する筐体内において、ランプの両電極間を、一対のヒートシンクによって挟持することにより、該一対のヒートシンクにより、放熱面積を増やしてランプをより効率良く冷却する光源装置の構成が開示されている。
【先行技術文献】
【特許文献】
【０００８】
【特許文献１】特開２０００−３２２９２９号公報
【特許文献２】特開２００１−３３７０９号公報
【発明の概要】
【発明が解決しようとする課題】
【０００９】
しかしながら、特許文献１に開示された光源装置においては、流入口が筐体の底面に形成されていることから、流入口を介して筐体内に流入された冷却流体を、ヒートシンクの流路に流入されるには、筐体内において冷却流体の流路を、略直角に変更させなければならない。
【００１０】
この際、特許文献１の構成では、流入口からヒートシンクまでの筐体内における流路について何等考慮がなされていないことから、流入口側に位置するヒートシンクのフィンの端面において冷却流体の流れの剥離が発生することにより、流入口から筐体内に流入された冷却流体を、ヒートシンクの流路に効率良くガイドすることができないといった問題があった。尚、これは、特許文献２に示すように、ランプが一対のヒートシンクにより挟持されている場合であっても同様である。
【００１１】
また、流体の流入口が筐体の底面に形成されていると、筐体が載置される、例えば架台上の塵埃が、架台に対向する底面の流入口を介して筐体内に進入してしまい、筐体内に塵埃が蓄積されやすくなってしまうといった問題があることから、流入口は筐体の底面以外に形成されていることが望ましい。
【００１２】
よって、流入口を、筐体の側面に形成することも考えられるが、この場合であっても、上述したように、流入口を介して筐体内に流入された冷却流体を、ヒートシンクの流路に流入させるには、筐体内において冷却流体の流路を、略直角に変更させなければならず、流入口が筐体の底面に形成されている場合と同様、流入口から筐体内に流入させた冷却流体を、ヒートシンクの流路に効率良くガイドすることができないといった問題があった。
【００１３】
このことから、特許文献１の構成を用いて光源の冷却効率を高めるためには、大風量の冷却ファンを用いる必要があり、そのことに伴い、コストアップや光源装置の大型化、さらには、光源装置の騒音化を招いてしまうといった問題があった。
【００１４】
本発明は、上記問題点に鑑みてなされたものであり、筐体内の光源を効率良く冷却流体を用いて冷却できる構成を有することにより、コスト上昇を抑制でき、さらには静音性の高い光源装置を提供することを目的とする。
【課題を解決するための手段】
【００１５】
上記目的を達成するため本発明による光源装置は、筐体と、前記筐体内に設けられた光源と、前記光源を該光源の出射方向において前後に挟持する、前記出射方向に直交する前記筐体の第１の方向に沿って設定長さを有する複数のフィンが、前記第１の方向とは異なる前記出射方向に直交する前記筐体の第２の方向に設定間隔を有して設けられていることにより、前記フィン間に前記出射方向に沿って前記光源に冷却流体を供給する流路が形成された一対のヒートシンクと、前記一対のヒートシンクの内、前記出射方向後方に位置する前記ヒートシンクに対向して位置する、前記筐体内に設けられた冷却ファンと、前記筐体を構成する壁部において、前記一対のヒートシンクの内、前記出射方向前方に位置する前記ヒートシンクよりも前記出射方向前方位置であって、前記出射方向及び前記第１の方向に平行な面に形成された、前記冷却ファンの駆動に伴い前記筐体外の前記冷却流体を、前記筐体内に流入させる冷却流体流入口と、前記筐体を構成する壁部において、前記冷却ファンに対向する位置に形成された、前記冷却ファンの駆動に伴い前記筐体内の前記流路を流れた前記冷却流体を、前記筐体内に排出させる冷却流体排出口と、を具備し、前記出射方向前方に位置する前記ヒートシンクを構成する複数のフィンにおいて、前記出射方向前方の各端面は、前記第２の方向において、前記冷却流体流入口に近接する側の端部から、前記流路内に位置する前記冷却流体流入口から遠ざかる側の端部に向かって、Ｒ形状を有して傾斜する形状に形成されていることを特徴とする。
【発明の効果】
【００１６】
本発明によれば、筐体内の光源を効率良く、冷却流体を用いて冷却できる構成を有することにより、コスト上昇を抑制でき、さらには静音性の高い光源装置を提供することができる。
【図面の簡単な説明】
【００１７】
【図１】本実施の形態の光源装置に内視鏡が接続された状態を概略的に示す斜視図
【図２】図１の光源装置の内部の構成を、前壁及び上壁を外した状態で示す斜視図
【図３】図２中のIII-III線に沿う光源装置の部分断面図
【図４】図２中のIV-IV線に沿う光源装置の部分断面図
【発明を実施するための形態】
【００１８】
以下、図面を参照して本発明の実施の形態を説明する。  
図１は、本実施の形態の光源装置に内視鏡が接続された状態を概略的に示す斜視図、図２は、図１の光源装置の内部の構成を、前壁及び上壁を外した状態で示す斜視図、図３は、図２中のIII-III線に沿う光源装置の部分断面図、図４は、図２中のIV-IV線に沿う光源装置の部分断面図である。
【００１９】
図１に示すように、光源装置１００は、内視鏡５０に照明光を供給するものであり、内視鏡５０が接続自在となっている。
【００２０】
内視鏡５０は、先端側から順に先端部５１ｓ、湾曲部５１ｗ、可撓管部５１ｋを有する被検体内に挿入される挿入部５１と、該挿入部５１の基端側に設けられた操作部５２と、該操作部５２から延出されたユニバーサルコード５３と、該ユニバーサルコード５３の延出端に設けられたコネクタ５４とを具備して主要部が構成されている。
【００２１】
また、先端部５１ｓの先端面には、被検体内を観察する対物レンズ４０や、被検体内に照明光を照射する照明用レンズ４１等が設けられており、照明用レンズ４１は、内視鏡５０の挿入部５１、操作部５２、ユニバーサルコード５３、コネクタ５４内に挿通された図示しない既知のライドガイドを介して光源装置１００から供給された照明光を、被検体内に拡開照射するものである。
【００２２】
尚、図１においては、先端部５１ｓの先端面に対物レンズ４０や、照明用レンズ４１が設けられた直視型の内視鏡を例に挙げて示したが、先端部５１ｓの側面に、対物レンズや照明用レンズが設けられた側視型の内視鏡に適用しても良いことは勿論である。
【００２３】
光源装置１００は、複数の壁部となる前壁１ｆ、後壁１ｂ、右壁１ｒ、左壁１ｌ、下壁１ｋ、上壁１ｊから構成された略矩形状の筐体１を具備しており、筐体１の前壁１ｆに、内視鏡５０のコネクタ５４が接続自在なコネクタ受け１ａと、操作パネル１ｐとが設けられている。
【００２４】
尚、前壁１ｆ、後壁１ｂ、右壁１ｒ、左壁１ｌ、下壁１ｋ、上壁１ｊは、それぞれ金属から形成されている。これは、筐体１の内部１ｉには、後述するが光源６が設けられるが、光源６の放電の際に発生する電磁波が、光源装置１００の近傍で用いる、内視鏡５０の駆動制御を行う図示しない既知のビデオプロセッサに進入してしまい、該ビデオプロセッサが誤作動してしまうことを、筐体１が金属から構成されていることにより防ぐためである。即ち、前壁１ｆ、後壁１ｂ、右壁１ｒ、左壁１ｌ、下壁１ｋ、上壁１ｊは、それぞれ電磁シールドの機能を有している。
【００２５】
図２に示すように、筐体１の内部１ｉに、後述する光源６の電源９と、例えば金属から構成されたケース部材２が、下壁１ｋ、後壁１ｂに対して固定されている。また、ケース部材２の内部には、下壁１ｋに図示しないねじ等により固定されたベース部材３と、光源６と、光源６を、該光源６の出射方向Ｓにおいて前後に挟持する一対のヒートシンク４、５と、該一対のヒートシンク４、５よりも出射方向Ｓの後方においてヒートシンク５に対向して位置する冷却ファン８と、ガイド部材７と、第２の閉塞部材１５、１６（符号１５は、図２では不図示）とが設けられている。
【００２６】
尚、ケース部材２の出射方向Ｓの前方と後方には、図２に示すように、それぞれ、筐体１の内部１ｉとケース部材２の内部とを連通させる開口２ｋａ、２ｋｂが形成されている。
【００２７】
尚、開口２ｋａは、光源６から出射された照明光を、ケース部材２の外部に排出することにより、コネクタ受け１ａに接続されたコネクタ５４に位置するライトガイドの端部に、照明光を入光させる機能を有している。
【００２８】
また、光源６から出射された照明光は、筐体１の内部１ｉに設けられた図示しないレンズやフィルタ等により、特定の波長が除去されたり、明るさが調整されたりした後、ライトガイドの端部に集光される。
【００２９】
また、開口２ｋｂは、後壁１ｂに対して接触している。さらに、ケース部材２は、金属から構成されていることから、筐体１と同様、電磁シールドとして機能している。
【００３０】
光源６は、例えばキセノンランプから構成されている。また、一対のヒートシンク４、５は、ケース部材２の内部において、開口２ｋａ側に位置しており、熱伝導性の良い部材、例えばアルミから形成されているとともに、ベース部材３上の固定面３ｓ（図４参照）に対して後述する構成により固定自在となっている。一対のヒートシンク４、５は、光源６を出射方向Ｓの前後において挟持することにより、接触する光源６の熱を放熱する機能を有している。
【００３１】
ヒートシンク４は、光源６の出射方向Ｓの前側に位置しており、出射方向Ｓに直交する方向である筐体１の高さ方向Ｋ１に沿って、図２、図４に示すように、上下に２つのヒートシンク４ａ、４ｂを有している。尚、ヒートシンク４ａ、４ｂは、図４に示すように、別体に形成されているが、一体的に形成されていても構わない。
【００３２】
ヒートシンク４ａ、４ｂは、図２、図３に示すように、高さ方向Ｋ１に沿って設定長さを有する放熱面積を増やす複数のフィン４ａｆ、４ｂｆが、高さ方向Ｋ１とは異なる出射方向Ｓに直交する筐体１の第２の方向である幅方向Ｋ２に設定間隔を有してそれぞれ設けられている。
【００３３】
このことにより、複数のフィン４ａｆ間及び複数のフィン４ｂｆ間に、出射方向Ｓとは反対側の方向Ｑに沿って光源６に冷却流体Ｒ（図３参照）を供給する流路４ａｒ、４ｂｒがそれぞれ形成されている。尚、流路４ａｒ、４ｂｒには、ケース部材２の開口２ｋａを介して、冷却流体Ｒが内部に流入される構成となっている。
【００３４】
図２に示すように、ヒートシンク５は、光源６の出射方向Ｓの後側に位置しており、高さ方向Ｋ１に沿って、図２、図４に示すように、上下に２つのヒートシンク５ａ、５ｂを有している。尚、ヒートシンク５ａ、５ｂは、図４に示すように一体的に形成されているが、別体に形成されていても構わない。
【００３５】
ヒートシンク５ａ、５ｂも、図２、図３に示すように、高さ方向Ｋ１に沿って設定長さを有する放熱面積を増やす複数のフィン５ａｆ、５ｂｆが、幅方向Ｋ２に設定間隔を有してそれぞれ設けられていることにより、複数のフィン５ａｆ間及び複数のフィン５ｂｆ間に、光源６から熱を奪った冷却流体Ｒ（図３参照）を排出する流路５ａｒ、５ｂｒがそれぞれ形成されている。
【００３６】
尚、流路５ａｒ、５ｂｒは、流路４ａｒ、４ｂｒにそれぞれ連通しており、ケース部材２の開口２ｋｂを介して、光源６の熱を奪った冷却流体Ｒが内部から排出される構成となっている。
【００３７】
ここで、図１、図２に示すように、ヒートシンク５よりも出射方向Ｓの前方位置の右壁１ｒに、冷却ファン８の駆動に伴い、筐体１外の冷却流体Ｒを筐体１の内部１ｉに流入させる、単一孔もしくは複数孔から構成された冷却流体流入口（以下、単に流入口と称す）１２が形成されている。
【００３８】
尚、流入口１２は、左壁１ｌ等に形成されていても構わない。よって、流入口１２から筐体１の内部１ｉに流入された冷却流体Ｒは、図２に示すように、略９０°進行方向が変更された後、開口２ｋａを介して、流路４ａｒ、４ｂｒに進入する構成となっている。
【００３９】
また、図２に示すように、冷却ファン８に対向する後壁１ｂの位置に、冷却ファン８の駆動に伴い、上述した流路４ａｒ、４ｂｒ、５ａｒ、５ｂｒを流れた冷却流体Ｒを、筐体１の外部に排出させる、単一孔もしくは複数孔から構成された冷却流体排出口（以下、単に排出口と称す）１０が形成されている。
【００４０】
尚、排出口１０が形成される位置は、冷却ファン８に対向する位置であれば良く、よって、冷却ファン８の位置によっては、後壁１ｂ以外に形成されていても構わない。
【００４１】
冷却ファン８は、ケース部材２の内部において、開口２ｋｂ側に位置しており、駆動に伴い、筐体１の右壁１ｒに形成された流入口１２から筐体１の内部１ｉに冷却流体Ｒを流入させ、ヒートシンク４ａ、４ｂの流路４ａｒ、４ｂｒからヒートシンク５ａ、５ｂの流路５ａｒ、５ｂｒに冷却流体Ｒを通過させることにより、後壁１ｂに形成された排出口１０から、光源６の熱を筐体１外に排出させるものである。
【００４２】
ここで、図３に示すように、ヒートシンク４ａ、４ｂを構成する複数のフィン４ａｆ、４ｂｆの出射方向Ｓの前方の各端面４ａｆｔ、４ｂｆｔ（図３参照、尚、図３には、端面４ｂｆｔは図示されず）は、幅方向Ｋ２において、流入口１２に近接する側の端部４ａｆｔ１、４ｂｆｔ１（図３では、４ｂｆｔ１は図示されず）から、流路４ａｒ、４ｂｒ内に位置する流入口１２から遠ざかる側の端部４ａｆｔ２、４ｂｆｔ２（図３では、４ｂｆｔ２は図示されず）に向かってＲ形状を有して傾斜する形状に形成されている。
【００４３】
これは、上述したように、冷却ファン８の駆動により、流入口１２から筐体１の内部１ｉに流入された冷却流体Ｒは、略９０°進行方向が変更されて、流路４ａｒ、４ｂｒに進入すると示したが、端面４ａｆｔ、４ｂｆｔが上述したＲ形状を有していると、冷却流体Ｒが、端面４ａｆｔ、４ｂｆｔのＲ形状に沿って、流路４ａｒ、４ｂｒに流れ込むため、各端部４ａｆｔ１、４ａｆｔ２、４ｂｆｔ１、４ｂｆｔ２において、冷却流体Ｒの流れ剥離が起き難くなることから、流路４ａｒ、４ｂｒに流れ込む冷却流体Ｒの圧力損失を少なくすることができ、効率良く流路４ａｒ、４ｂｒに冷却流体Ｒをガイドすることができるためである。
【００４４】
尚、端面４ａｆｔ、４ｂｆｔは、例えば端部４ａｆｔ１、４ｂｆｔ１から端部４ａｆｔ２、４ｂｆｔ２に向かう程、Ｒが大きくなる形状に形成されている。このような形状によれば、より、端面４ａｆｔ、４ｂｆｔに沿った冷却流体Ｒの流れがスムーズになる。
【００４５】
また、端面４ａｆｔ、４ｂｆｔのＲ形状は、全てが同じＲ形状である必要は無く、端面４ａｆｔ、４ｂｆｔ毎に異なる形状であったり、端面４ａｆｔと端面４ｂｆｔとで異なる形状であったりしても良い。
【００４６】
図３に示すように、ケース部材２における筐体１の左壁１ｌに対向する側面には、光源６を挟持する一対のヒートシンク４、５を交換する用の開口２ｋｃが形成されている。また、図２、図３に示すように、筐体１の左壁１ｌにおいて、開口２ｋｃに対向する位置に、光源６を挟持する一対のヒートシンク４、５を交換する用の交換扉１３が設けられている。
【００４７】
よって、交換扉１３が開成されることにより、開口２ｋｃを介して、ケース部材２の内部から幅方向Ｋ２に、光源６を挟持する一対のヒートシンク４、５が出し入れ自在なことにより、筐体１の内部１ｉに対して、光源６を挟持する一対のヒートシンク４、５が出し入れ自在となっている。
【００４８】
ここで、図４に示すように、交換扉１３、開口２ｋｃを介して、ケース部材２の内部に光源６を挟持する一対のヒートシンク４、５が挿入された際、光源６を挟持する一対のヒートシンク４、５は、ヒートシンク５ｂがベース部材３の固定面３ｓにおいて幅方向Ｋ２に沿って形成されたスライド溝３ｍにスライド嵌入されることにより、出射方向Ｓの位置が固定される。
【００４９】
尚、ベース部材３は、絶縁性部材、例えば樹脂から形成されていることにより、ケース部材２内に光源６を挟持する一対のヒートシンク４、５が固定された後、ベース部材３によって、一対のヒートシンク４、５と、ケース部材２の底面とが絶縁される。
【００５０】
また、スライド溝３ｍの高さ方向Ｋ１の深さは、ヒートシンク５ｂのスライド溝３ｍに嵌入される部位の肉厚Ｎと同一となるよう設定されている。このことにより、スライド溝３ｍに、ヒートシンク５ｂが嵌入された際、ヒートシンク５ｂの底面５ｂｓと、ベース部材３の固定面３ｓとが同一の高さの面となることから、即ち段差が生じることがないことから、ヒートシンク５ｂの流路５ｂｒを流れる冷却流体Ｒに圧力損失が生じづらくなっている。
【００５１】
また、図４に示すように、スライド溝３ｍにヒートシンク５ｂをスライド嵌入させた状態において、ベース部材３の固定面３ｓにおける出射方向Ｓにおけるヒートシンク４とヒートシンク５との間には、傾斜面３ｐが形成されている。
【００５２】
傾斜面３ｐは、ヒートシンク４ｂの流路４ｂｒを流れた冷却流体Ｒを、ヒートシンク５ｂの流路５ｂｒに傾斜に沿ってガイドする機能を有している。このことにより、冷却流体Ｒは、圧力損失を少なくして、流路４ｂｒから流路５ｂｒに流れ込む。これは、傾斜面３ｐが形成されている箇所に、仮に段差が形成されていると、流路４ｂｒと流路５ｂｒとの間に圧力損失が生じやすくなってしまうためである。
【００５３】
また、図４に示すように、ケース部材２の開口２ｋａに臨むベース部材３の前方の端面３ｔにおいて、高さ方向Ｋ１におけるヒートシンク４側の角部３ｔｋは、Ｒ形状に形成されている。
【００５４】
これは、上述したように、冷却ファン８の駆動により、流入口１２から筐体１の内部１ｉに流入された冷却流体Ｒは、略９０°進行方向が変更されて、流路４ａｒ、４ｂｒに進入すると示したが、端面３ｔの角部３ｔｋが上述したＲ形状を有していると、下壁１ｋ側を流れる冷却流体Ｒが、角部３ｔｋのＲ形状に沿って、流路４ｂｒに流れ込むため、該流路４ｂｒに流れ込む冷却流体Ｒの圧力損失を少なくすることができ、効率良く流路４ｂｒに冷却流体Ｒをガイドすることができるためである。
【００５５】
また、図３に示すように、交換扉１３には、第１の閉塞部材１４が固定されている。第１の閉塞部材１４は、ケース部材２内において、ベース部材３の固定面３ｓに光源６を挟持する一対のヒートシンク４、５が固定され、交換扉１３が閉成された際、ケース部材２の開口２ｋｃと交換扉１３との間において、開口２ｋｃを塞ぐよう位置する。即ち、第１の閉塞部材１４は、交換扉１３の開閉に伴い、筐体１の内部１ｉに着脱自在となっている。
【００５６】
第１の閉塞部材１４は、ケース部材２と筐体１の左壁１ｌとの間を塞ぐことにより、流入口１２を介して筐体１の内部１ｉに導入された冷却流体Ｒを、ヒートシンク４ａ、４ｂの流路４ａｒ、４ｂｒに流れやすくガイドするためのものである。
【００５７】
これは、第１の閉塞部材１４が無いと、冷却流体Ｒは、ケース部材２と左壁１ｌとの間においても、方向Ｑに沿って流れてしまうことから、圧力損失が大きくなってしまう、もしくはヒートシンク４、５を冷却せずに無駄に流れるためである。
【００５８】
図２、図４に示すように、ケース部材２の内部において、光源６を挟持する一対のヒートシンク４、５における筐体１の上壁１ｊに対向する面と、該面に対向するケース部材２の上面との間に、ガイド部材７が、一対のヒートシンク４、５とガイド部材７との間に流路７ｒを有するように設けられている。
【００５９】
ガイド部材７は、絶縁性部材、例えば樹脂から形成されており、交換扉１３、開口２ｋｃを介して、ケース部材２の内部に光源６を挟持する一対のヒートシンク４、５を挿入して固定する際、一対のヒートシンク４、５の挿入性を向上させるとともに、固定後、一対のヒートシンク４、５と、ケース部材２の上面とを電気的に絶縁させるものである。
【００６０】
また、ガイド部材７の一対のヒートシンク４、５に対向する面７ｓは、平坦面に形成されている。このことにより、流路７ｒを流れる冷却流体Ｒが、圧力損失がなく方向Ｑに沿って直線的に流れやすくなっている。
【００６１】
さらに、ガイド部材７におけるケース部材２の開口２ｋａに臨む出射方向Ｓの前方の端面７ｔは、図４に示すように、高さ方向Ｋ１において、ヒートシンク４ａから遠ざかる側の端部７ｔ１からヒートシンクに近接する側の端部７ｔ２に向かって、Ｒ形状を有して傾斜する形状に形成されている。
【００６２】
これは、上述したように、冷却ファン８の駆動により、流入口１２から筐体１の内部１ｉに流入された冷却流体Ｒは、略９０°進行方向が変更されて、流路４ａｒ、４ｂｒに進入すると示したが、端面７ｔが上述したＲ形状を有していると、上壁１ｊ側を流れる冷却流体Ｒが、端面７ｔのＲ形状に沿って、流路７ｒや流路４ａｒに流れ込むため、該流路７ｒや流路４ａｒに流れ込む冷却流体Ｒの圧力損失を少なくすることができ、効率良く流路７ｒ、４ａｒに冷却流体Ｒをガイドすることができるためである。
【００６３】
また、図２、図４に示すように、ケース部材２の内部において、幅方向Ｋ２における光源６を挟持する一対のヒートシンク４、５と、ケース部材２の右側側面との間に、各間を塞ぐ、絶縁性部材、例えば樹脂から高さ方向Ｋ１に沿って形成された第２の閉塞部材１６が設けられている。
【００６４】
第２の閉塞部材１６は、通常、一対のヒートシンク４、５とケース部材２との間は、絶縁性を確保するため一定の空間を設けるが、該空間があると、冷却流体Ｒを、流路４ａｒ、４ｂｒ、７ｒに誘導しづらい。よって、一対のヒートシンク４、５と、ケース部材２の右側側面との間を塞ぐことにより、一対のヒートシンク４、５と、ケース部材２との間の絶縁性を確保するとともに、流入口１２を介して筐体１の内部１ｉに流入された冷却流体Ｒを、流路４ａｒ、４ｂｒ、７ｒにガイドする機能を有している。
【００６５】
さらに、図２、図３に示すように、ケース部材２の開口２ｋａに臨む位置であって、ケース部材の左側壁に近接する位置に、幅方向Ｋ２における光源６を挟持する一対のヒートシンク４、５と、ケース部材２の左側側面との間に、各間を塞ぐ、絶縁性部材、例えば樹脂から高さ方向Ｋ１に沿って断面略三角状に形成された第２の閉塞部材１５が設けられている。
【００６６】
第２の閉塞部材１５は、通常、一対のヒートシンク４、５とケース部材２との間は、絶縁性を確保するため一定の空間を設けるが、該空間があると、冷却流体Ｒを、流路４ａｒ、４ｂｒ、７ｒに誘導しづらい。よって、一対のヒートシンク４、５と、ケース部材２の左側側面との間を塞ぐことにより、一対のヒートシンク４、５と、ケース部材２との間の絶縁性を確保するとともに、流入口１２を介して筐体１の内部１ｉに流入された冷却流体Ｒを、傾斜面にて流路４ａｒ、４ｂｒ、７ｒにガイドする機能を有している。
【００６７】
次に、本実施の形態の作用について説明する。  
先ず、光源装置１００の内部１ｉに設けられたケース部材２内の光源６が電源９の駆動制御によって駆動されると、光源６は照明光を照射し、該照明光は、光源装置１００のコネクタ受け１ａに接続されたコネクタ５４内に位置するライドガイドの端面に入光する。尚、光源６は、駆動に伴い発熱する。
【００６８】
光源６が駆動すると同時に、または光源６の駆動に先立って、冷却ファン８が駆動されると、流入口１２を介して、冷却流体Ｒは、筐体１の内部１ｉに流入され、該流体Ｒは、進行方向が略９０°曲げられた後、ケース部材２の開口２ｋａを介して、ヒートシンク４ａ、４ｂの流路４ａｒ、４ｂｒ、７ｒに進入する。
【００６９】
この際、ヒートシンク４ａ、４ｂのフィン４ａｆ、４ｂｆの前方端面４ａｆｔ、４ｂｆｔが上述したＲ形状に形成されていることや、ベース部材３の前方端面３ｔの角部３ｔｋがＲ形状に形成されていることや、ガイド部材７の端面７ｔがＲ形状に形成されていることや、一対のヒートシンク４、５と、ケース部材２の右側側面、左側側面との間が、第２の閉塞部材１５、１６で塞がれていることや、ケース部材２と筐体１の左壁１ｌとの間が第１の閉塞部材１４で塞がれていることにより、冷却流体Ｒは、効率良く、流路４ａｒ、４ｂｒ、７ｒに進入する。
【００７０】
流路４ａｒ、４ｂｒに進入後は、冷却流体Ｒは、光源６から熱を奪い、流路５ａｒ、５ｂｒに進入する。この際、ベース部材３の固定面３ｓのスライド溝３ｍに嵌入されたヒートシンク５ｂの底面５ｂｓと、ベース部材３の固定面３ｓとは高さ方向に同一面となることから、冷却流体Ｒは、方向Ｑに直線的に移動する。
【００７１】
また、ベース部材のヒートシンク４とヒートシンク５との間に傾斜面３ｐが形成されていることにより、流路４ｂｒを通過した冷却流体Ｒは、圧力損失無く流路５ｂｒに進入する。
【００７２】
また、ガイド部材７のヒートシンク４、５に対向する面７ｓは平坦面に形成されていることにより、流路７ｒを流れる冷却流体Ｒは、直線的に、方向Ｑに流れる。
【００７３】
その後、冷却流体Ｒは、冷却ファン８に吸い込まれ、最後にケース部材２の開口２ｋｂを介して、ケース部材２外に排出され、その後、排出口１０を介して筐体１の外部に排出される。
【００７４】
このように、本実施の形態においては、ヒートシンク４ａ、４ｂのフィン４ａｆ、４ｂｆの前方端面４ａｆｔ、４ｂｆｔは、流入口１２に近接する側の端部４ａｆｔ１、４ｂｆｔ１から、流路４ａｒ、４ｂｒ内に位置する流入口１２から遠ざかる側の端部４ａｆｔ２、４ｂｆｔ２に向かってＲ形状を有して傾斜する形状に形成されていると示した。
【００７５】
このことによれば、流入口１２から筐体１の内部１ｉに進入した冷却流体Ｒは、圧力損失を少なくして、流路４ａｒ、４ｂｒに誘導されることから、冷却流体Ｒを、効率良く、流路４ａｒ、４ｂｒにガイドすることができる。
【００７６】
また、ベース部材３の前方端面３ｔの角部３ｔｋがＲ形状に形成されていることや、ガイド部材７の端面７ｔがＲ形状に形成されていることや、一対のヒートシンク４、５と、ケース部材２の右側側面、左側側面との間が、第２の閉塞部材１５、１６で塞がれていることや、ケース部材２と筐体１の左壁１ｌとの間が第１の閉塞部材１４で塞がれていることにより、冷却流体Ｒを、効率良く、流路４ａｒ、４ｂｒ、７ｒにガイドすることができる。
【００７７】
さらに、ベース部材３の固定面３ｓのスライド溝３ｍに嵌入されたヒートシンク５ｂの底面５ｂｓと、ベース部材３の固定面３ｓとは高さ方向に同一面となることから、ヒートシンク５ｂの流路５ｂｒ内の冷却流体Ｒの直進性が向上するため、圧力損失を少なくすることができる。
【００７８】
また、ガイド部材７のヒートシンク４、５に対向する面７ｓは平坦面に形成されていることにより、流路７ｒを流れる冷却流体Ｒは、直線的に、方向Ｑに流れるため、圧力損失を少なくすることができる。
【００７９】
以上から、筐体１内の光源６を効率良く、冷却流体Ｒを用いて冷却できる構成を有することにより、コスト上昇を抑制でき、さらには静音性の高い光源装置１００を提供することができる。
【符号の説明】
【００８０】
１…筐体
２…ケース部材
２ｋａ…ケース部材の前方開口
２ｋｂ…ケース部材の後方開口
２ｋｃ…ケース部材のヒートシンク交換用開口
３…ベース部材
３ｍ…スライド溝
３ｓ…ベース部材の固定面
３ｔ…ベース部材の前方端面
３ｔｋ…端面角部
４…ヒートシンク
４ａｆ…フィン
４ａｆｔ…前方端面
４ａｆｔ１…冷却流体流入口に近接する側の端部
４ａｆｔ２…冷却流体流入口から遠ざかる側の端部
４ａｒ…流路
４ｂｆ…フィン
４ｂｆｔ…前方端面
４ｂｆｔ１…冷却流体流入口に近接する側の端部
４ｂｆｔ２…冷却流体流入口から遠ざかる側の端部
４ｂｒ…流路
５…ヒートシンク
５ａｆ…フィン
５ａｒ…流路
５ｂｆ…フィン
５ｂｒ…流路
６…光源
７…ガイド部材
７ｒ…流路
７ｓ…ガイド部材のヒートシンクへの対向面
７ｔ…ガイド部材の前方端面
７ｔ１…ヒートシンクから遠ざかる側の端部
７ｔ２…ヒートシンクに近接する側の端部
８…冷却ファン
１０…冷却流体排出口
１２…冷却流体流入口
１３…交換扉
１４…第１の閉塞部材
１５…第２の閉塞部材
１６…第２の閉塞部材
１００…光源装置
Ｋ１…高さ方向（第１の方向）
Ｋ２…幅方向（第２の方向）
Ｎ…ベース部材のスライド溝に嵌入されるヒートシンクの部位の肉厚
Ｒ…冷却流体
Ｓ…出射方向
【図１】
2012014992.tif 000003
【図２】
2012014992.tif 000004
【図３】
2012014992.tif 000005
【図４】
2012014992.tif 000006